(57)【要約】【課題】品質的にも、量的にも、経済的にも使用可能な植物育成用の有機質土壌を提供する。【解決手段】火山噴出物の堆積土壌を、木酢液に浸漬することにより、木酢液の浸透した火山噴出物の堆積土壌とし、杉を主体とする木材の樹皮を、発酵させた後に押圧破砕し、短繊維状のバーク堆肥を構成し、前記木酢液を浸透させた火山噴出物の堆積土壌と、短繊維状のバーク堆肥とを混合した植物育成用土壌であり、短繊維状のバーク堆肥は、杉を主体とする木材の樹皮を、木質部から剥がして山状に積み上げて、該積み上げた状態の内部において、嫌気性発酵状態とし、約６ヶ月以上放置して、発酵状態の樹皮を形成し、該杉を主体とする木材の発酵状態の樹皮を押圧することにより破砕して短繊維状とした。【選択図】図１
2015204776.tif 000002
【特許請求の範囲】
【請求項１】
火山噴出物の堆積土壌を、木酢液に浸漬することにより、木酢液の浸透した火山噴出物の堆積土壌とし、
杉を主体とする木材の樹皮を、発酵させた後に押圧破砕し、短繊維状のバーク堆肥を構成し、
前記木酢液を浸透させた火山噴出物の堆積土壌と、短繊維状のバーク堆肥とを混合した
ことを特徴とする植物育成用土壌。
【請求項２】
請求項１記載の植物育成用土壌において、
前記短繊維状のバーク堆肥は、杉を主体とする木材の樹皮を、木質部から剥がして山状に積み上げて、該積み上げた状態の内部において、嫌気性発酵状態とし、約６ヶ月以上放置して、発酵状態の樹皮を形成し、
該杉を主体とする木材の発酵状態の樹皮を押圧することにより破砕して、短繊維状のバーク堆肥とした
ことを特徴とする植物育成用土壌。
【請求項３】
請求項１記載の植物育成用土壌において、
前記木酢液を浸透させた火山噴出物の堆積土壌と、短繊維状のバーク堆肥との混合物に対して、更に低比率で肥料を混合した
ことを特徴とする植物育成用土壌。
【請求項４】
請求項１記載の植物育成用土壌において、
前記火山噴出物の堆積土壌が、ボラ土である
ことを特徴とする植物育成用土壌。
【請求項５】
請求項１記載の植物育成用の植物育成用土壌において、
前記火山噴出物の堆積土壌を浸漬する木酢液は、樫類の樹木を炭化する際に発生する木酢液とした
ことを特徴とする植物育成用土壌。
【請求項６】
請求項２記載の植物育成用の有機質土壌において、
前記杉を主体とする短繊維状のバーク堆肥の製造において、木材の発酵樹皮の短繊維化においては、傾斜した筒内において回転する爪により破砕するハンマークラッシャーによりバーク堆肥を破砕し、該破砕後の発酵して破砕した樹皮を、回転筒式のトロンメル選別機により、短繊維だけを選別する
ことを特徴とする植物育成用土壌。
【請求項７】
請求項１記載の植物育成用の有機質土壌において、
前記バーク堆肥と、木酢液を浸透させた火山噴出物の堆積土壌の混合割合を変更することにより、植生する各種植物に対応した植物育成用の有機質土壌を構成する
ことを特徴とする植物育成用土壌。
【請求項８】
請求項３記載の植物育成用土壌において、
前記バーク堆肥と、木酢液を浸透させた火山噴出物の堆積土壌の混合物の比率を９対１程度とし、該混合物に対して、肥料の比率を、１％以下とした
ことを特徴とする植物育成用土壌。
【請求項９】
請求項１記載の植物育成用土壌において、
火山噴出物の堆積土壌を浸漬する木酢液は、木酢液と水の混合液とし、木酢液を５％〜５０％とし、水を９５％〜５０％とした
ことを特徴とする植物育成用土壌。
【請求項１０】
請求項１記載の植物育成用土壌において、
木酢液に火山噴出物の堆積土壌を浸漬する時間は、０．５〜２日間とした
ことを特徴とする植物育成用土壌。
【発明の詳細な説明】
【技術分野】
【０００１】
本発明は、野菜栽培や園芸用の植物育成用の土壌に関するものである。
火山噴出物の堆積土壌を、木酢液に浸漬して、木酢液を浸透させた火山噴出物の堆積土壌とし、これに対して、杉やヒノキ等の針葉樹の樹皮を発酵することにより構成した、有機質土壌改良材である短繊維状のバーク堆肥とを混合して植物育成用の土壌を構成したものである。
【背景技術】
【０００２】
植物育成用の有機質土壌としては、以下の性能が求められる。
（１）植物の育成を助長し、強い植物を育成することのできる土壌であること。また、水による浸食に強い植物を植生することが可能であることなどである。
（２）植物のために混合した肥料が、海や川に流れだすのを阻止する必要があり、肥料を植物育成用の有機質土壌に抱き込んだ状態で、水により浸食されても、肥料分を流さないという作用効果が必要である。
（３）混合された肥料の効果に加えて、土壌の肥料に対する緩衝材として作用し、肥料の効果が長く続行するようにし、また、一気に植物に対して肥料が効果を発揮して、肥料焼けを起こさないようにするという役目も必要となっている。
【０００３】
一般に用いられている牛舎や豚舎や鶏舎から発生する堆肥を乾燥して構成した植物育成用の有機質土壌の場合には、繊維質が少ないので、上記したような、肥料を抱き込んで保持する効果や、肥料の効果を緩衝する緩衝材としての役目を果たすことが出来ないのである。
そのために、防潮堤の植物育成用の有機質土壌から、肥料分が海や川に流れ出して、富栄養化の原因となっていたのである。
【０００４】
また、植物育成用の有機質土壌は、堤防の植物を育てるためや、道路の法面において植物を育てる場合や、崖崩れ防止用の法面に植物を育てる場合や、一般住宅の庭園の植物を育てる場合等において、大量に使用されるものである。
故に、値段が高い場合には、工事に対するコストが合わず、大量に、かつ、品質の一定した植物廃棄物に由来する有機質土壌を、一定の品質の元で提供できるということが不可能なのである。
出来れば、有機性廃棄物の再利用として、植物育成用の有機質土壌が製造されることがコストの低減や、廃棄物の処理を迅速に出来るという効果が発揮できるのである。
また、コストが低くても、植物の育成を助長することが出来る植物育成用土壌であることが求められているのである。
【０００５】
本発明は、日本全国における火山の噴火において発生する、火山噴出物の堆積土壌を使用して、該火山噴出物の堆積土壌を、これも木炭焼成において発生する廃棄物であり、かつ、植物の育成に好影響を与える木酢液に浸漬し、木酢液による植物の育成を助長させ、この木酢液を浸透させた火山噴出物の堆積土壌を、杉や檜等の針葉樹の樹皮により構成した有機質土壌改良材であるバーク堆肥を混合して、植物育成用の有機質土壌として、品質的にも、量的にも、経済的にも使用可能なものとするのである。
【０００６】
従来の植物育成用の有機質土壌としては、特公平６−６２３５３号公報、特開平６−２８４８１５号公報に記載の技術が公知とされている。
【先行技術文献】
【特許文献】
【０００７】
【特許文献１】特公平６−６２３５３号公報
【特許文献２】特開平６−２８４８１５号公報
【発明の概要】
【発明が解決しようとする課題】
【０００８】
本発明は、上記の問題を解決するために、木酢液を浸透させた火山噴出物の堆積土壌と、杉や檜等の針葉樹の樹皮により構成した、廃棄物の再利用であるバーク堆肥を混合することにより、植物の育成を助長し、肥料分の溶けだしを阻止する植物育成用土壌とすることが出来るのである。
また、該繊維質分が、肥料の緩衝材としての役目を果たし、長時間に渡り、ゆっくりと肥料成分が作用し、また植生に対して、肥料分が強く作用しすぎるのを緩衝することが出来る植物育成用の有機質土壌を提供するのである。
【課題を解決するための手段】
【０００９】
本発明は、以上のような目的を達成する為に、次の如く構成したものである。
【００１０】
請求項１においては、火山噴出物の堆積土壌を、木酢液に浸漬することにより、木酢液の浸透した火山噴出物の堆積土壌とし、杉を主体とする木材の樹皮を、発酵させた後に押圧破砕し、短繊維状のバーク堆肥を構成し、前記木酢液を浸透させた火山噴出物の堆積土壌と、短繊維状のバーク堆肥とを混合したものである。
【００１１】
請求項２においては、請求項１記載の植物育成用土壌において、前記短繊維状のバーク堆肥は、杉を主体とする木材の樹皮を、木質部から剥がして大量に山状に積み上げて、該積み上げた状態の内部において、嫌気性発酵状態とし、約６ヶ月以上放置して、発酵状態の樹皮を形成し、該杉を主体とする木材の発酵状態の樹皮を押圧することにより破砕して、短繊維状のバーク堆肥としたものである。
【００１２】
請求項３においては、請求項１記載の植物育成用土壌において、前記木酢液を浸透させた火山噴出物の堆積土壌と、短繊維状のバーク堆肥との混合物に対して、更に低比率で肥料を混合したものである。
【００１３】
請求項４においては、請求項１記載の植物育成用土壌において、前記火山噴出物の堆積土壌を、ボラ土としたものである。
【００１４】
請求項５においては、請求項１記載の植物育成用の植物育成用土壌において、前記火山噴出物の堆積土壌を浸漬する木酢液は、樫類の樹木を炭化する際に発生する木酢液としたものである。
【００１５】
請求項６においては、請求項２記載の植物育成用の有機質土壌において、杉を主体とする短繊維状のバーク堆肥の製造において、木材の発酵樹皮の短繊維化においては、傾斜した筒内において回転する爪により破砕するハンマークラッシャーによりバーク堆肥を破砕し、該破砕後の発酵樹皮を、回転筒式のトロンメル選別機により、短繊維だけを選別するものである。
【００１６】
請求項７においては、請求項１記載の植物育成用の有機質土壌において、前記バーク堆肥と、木酢液を浸透させた火山噴出物の堆積土壌の混合割合を変更することにより、植生する各種植物に対応した植物育成用の有機質土壌を構成するものである。
【００１７】
請求項８においては、請求項３記載の植物育成用土壌において、前記バーク堆肥と、木酢液を浸透させた火山噴出物の堆積土壌の混合物の比率を９対１程度とし、該混合物に対して、肥料の比率を、１％以下としたものである。
【００１８】
請求項９においては、請求項１記載の植物育成用土壌において、火山噴出物の堆積土壌を浸漬する木酢液は、木酢液と水の混合液とし、木酢液を５％〜５０％とし、水を９５％〜５０％としたものである。
【００１９】
請求項１０においては、請求項１記載の植物育成用土壌において、木酢液に火山噴出物の堆積土壌を浸漬する時間は、０．５〜２日間としたものである。
【発明の効果】
【００２０】
以上のように本発明を構成したことにより、次のような効果を奏する。
【００２１】
請求項１においては、火山噴出物の堆積土壌を、木酢液に浸漬することにより、木酢液の浸透した火山噴出物の堆積土壌とし、杉を主体とする木材の樹皮を、発酵させて押圧破砕して、短繊維状のバーク堆肥を構成し、前記木酢液を浸透させた火山噴出物の堆積土壌と、短繊維状のバーク堆肥とを混合したので、木酢液を浸透させた火山噴出物の堆積土壌と、伐採後の杉の樹皮を６ヶ月程度嫌気性発酵状態とした後のバーク堆肥とにより、植物育成用の有機質土壌を製造することが可能となったのである。
火山噴出物の堆積土壌は自然に大量に存在するものであり、短繊維状のバーク堆肥は、林業において大量に発生する産業廃棄物であるので、原料の買い入れが必要なく、原料の量的にも問題なく、一定の品質の植物育成用土壌を短期間で得ることができるのである。
また、木酢液は、植物の成長を促進する作用、特に根を強くする等の効果を具備しているので、出来上がった植物育成用土壌は、通常の培土以上の、野菜や園芸作物の成長促進の効果を発揮させることが出来るのである。
【００２２】
請求項２においては、請求項１記載の植物育成用土壌において、短繊維状のバーク堆肥は、杉を主体とする木材の樹皮を、木質部から剥がして大量に山状に積み上げて、該積み上げた状態の内部において、嫌気性発酵状態とし、約６ヶ月以上放置して、発酵状態の樹皮を形成し、該杉を主体とする木材の発酵状態の樹皮を押圧することにより破砕して、短繊維状のバーク堆肥としたので、傾斜した筒内において回転する爪により破砕するハンマークラッシャーで押圧破砕するだけで、簡単に一定の長さの繊維質のバーク堆肥を得ることが出来るのである。
また、ハンマークラッシャーの爪の耐久性を増加し、また破砕に要するエネルギー消費を抑制することが出来るのである。
【００２３】
請求項３においては、請求項１記載の植物育成用土壌において、該木酢液を浸透させた火山噴出物の堆積土壌と、短繊維状のバーク堆肥との混合物に対して、更に低比率で肥料を混合したので、肥料は、更に産業廃棄物である下水汚泥を用いることが可能となり、安いコストで、植物の育成の助長を更に助けることが出来るのである。
【００２４】
請求項４においては、請求項１記載の植物育成用土壌において、火山噴出物の堆積土壌が、ボラ土（日向土）としたので、ボラ土（日向土）と特に粒の内部の気孔が多く、また気孔の形状が整っているので、木酢液の吸収が確実に行われ、また木酢液の溶液から引き上げた場合にも、一定の割合の木酢液をボラ土（日向土）の内部に保水状態で維持することが確実に行えるのである。
【００２５】
請求項５においては、請求項１記載の植物育成用の植物育成用土壌において、前記火山噴出物の堆積土壌を浸漬する木酢液は、樫類の樹木を炭化する際に発生する木酢液としたので、木酢液自体が、樫類の樹木の炭焼き時において発生する廃棄物である木酢液の有効利用により、火山噴出物の堆積土壌を、大量に植物育成用の土壌にする道が開けたのである。
また、廃棄物の一種として、大量に発生する樫類の木酢液の利用用途が今だ見つかっていなかったが、この木酢液の有効利用に道を開くことが出来たのである。
また、樫類の樹木の木酢液が最も、植物の育成において効果的に作用するのである。
【００２６】
請求項６においては、請求項２記載の植物育成用の有機質土壌において、杉を主体とする短繊維状のバーク堆肥の製造において、木材の発酵樹皮の短繊維化においては、傾斜した筒内において回転する爪により破砕するハンマークラッシャーによりバーク堆肥を破砕し、該破砕後の発酵樹皮を、回転筒式のトロンメル選別機により、短繊維だけを選別するので、杉を主体とする樹木の樹皮を６ヶ月の間発酵し、その後は、樹木切断機を用いることなく、傾斜した筒内において回転する爪により押圧破砕するハンマークラッシャーにて、簡単に１０〜５０ｍｍ以下の繊維状に破砕することが出来るのである。
この短繊維状のバーク堆肥を、回転筒式のトロンメル選別機により、１２ｍｍ以下の長さの短繊維を選別するだけで、コストを易くして、品質の一定した植物育成用の有機質土壌を製造することが出来るのである。
【００２７】
請求項７においては、請求項１記載の植物育成用の有機質土壌において、前記バーク堆肥と、木酢液を浸透させた火山噴出物の堆積土壌の混合割合を変更することにより、植生する各種植物に対応した植物育成用の有機質土壌を構成するので、比較的コストが高くなる木酢液を浸透させた火山噴出物の堆積土壌の使用を最小限度として、比較的にコストの低いバーク堆肥の混合比率を高くして、対象とする植物に最適で、最低値段の植物育成用の有機質土壌を製造することが可能となるのである。
【００２８】
請求項８においては、請求項３記載の植物育成用土壌において、前記バーク堆肥と、木酢液を浸透させた火山噴出物の堆積土壌の比率を９対１程度とし、該混合物に対して、肥料の比率を、１％以下としたので、肥料は、さらに廃棄物である下水汚泥などを用いることが可能となり，コストを安くし、かつ植物の育成の助長に効果を発揮するのである。
また、木酢液を浸透させた火山噴出物の堆積土壌の使用を最小限度として、比較的にコストの低いバーク堆肥の混合比率を高くして、対象とする植物に最適で、最低値段の植物育成用の有機質土壌を製造することが可能となるのである。
【００２９】
請求項９においては、請求項１記載の植物育成用土壌において、火山噴出物の堆積土壌を浸漬する木酢液は、木酢液と水の混合液とし、木酢液を５％〜５０％とし、水を９５％〜５０％としたので、比較的コストが高くなる木酢液の使用量を少なくすることが出来たものである。
【００３０】
請求項１０においては、請求項１記載の植物育成用土壌において、木酢液に火山噴出物の堆積土壌を浸漬する時間は、０．５〜２日間としたので、木酢液に漬けた火山噴出物の堆積土壌は、粒の内部に気孔が多く存在するので、該気孔の存在により保水性が高く、この火山噴出物の堆積土壌を、木酢液に浸漬すると、気孔に木酢液が吸着されるのである。その後に、火山噴出物の堆積土壌を引き上げて、木酢液の容器の上に吊るすことにより、必要な所定率以上の木酢液が火山噴出物の堆積土壌から落下して、木酢液の容器に戻るのである。木酢液の浸透率は、浸漬した際の木酢液の全溶液の２割程度が浸透され、あとの８割は容器に残り、次の火山噴出物の堆積土壌の浸漬において使用されるのである。
該残った木酢液の溶液は、元の比率に戻るように木酢液を追加注入するのである。
【図面の簡単な説明】
【００３１】
【図１】火山噴出物の堆積土壌であるボラ土（日向土）（Ａ）を、フレコン（Ｃ）に投入して、木酢液（Ｅ）の溶液を入れた容器（Ｄ）内に浸漬し、０．５〜２日で引きあげて、２０％の木酢液をボラ土（日向土）に吸収させた木酢液を浸透させた火山噴出物の堆積土壌（Ｂ）状態で取りだす工程を示す図面。
【図２】杉を主体とする樹木（Ｔ）の針葉樹の樹皮により構成した有機質土壌改良材であるバーク堆肥を製造するプラントと工程を示す図面。
【図３】火山噴出物の堆積土壌（Ｂ）とバーク堆肥（Ｍ）を製造するプラントにおいて用いる、傾斜した筒内において回転する爪により破砕するハンマークラッシャー（Ｆ）の外形斜視図。
【図４】同じくハンマークラッシャー（Ｆ）の全体側面図。
【図５】同じくハンマークラッシャー（Ｆ）の内部に配置したスパイラル爪（１０）と破砕爪（１１）と破砕爪取付杆（１２）の構成を示す図面。
【図６】破砕爪（１１）の取付け状態の斜視図。
【図７】スパイラル爪（１０）の取付け状態の斜視図。
【図８】スパイラル爪（１０）と破砕爪（１１）の平面図と側面図。
【図９】破砕後のバーク堆肥（Ｍ）を短繊維だけを選別する回転筒式のトロンメル選別機（Ｇ）の側面図。
【図１０】同じく回転筒式のトロンメル選別機の穿孔回転筒（１３）のみを取り出した側面図。
【図１１】バーク堆肥（Ｍ）の短繊維分を穿孔回転筒（１３）により選別する状態の側面図。
【図１２】バーク堆肥（Ｍ）の短繊維分を穿孔回転筒（１３）により選別する状態の正面図。
【図１３】回転筒式のトロンメル選別機（Ｇ）により選別した後のバーク堆肥（Ｍ）の状態を示す斜視図。
【図１４】「木酢液を浸透させた火山噴出物の堆積土壌（Ｂ）」と「バーク堆肥（Ｍ）」と「肥料（下水汚泥）」と、「木酢液（Ｅ）と水」の混合比率を変えた植生基盤を示す図面。
【図１５】図１４に示した混合比率の植物育成用の有機質土壌の植生試験の状況を示す図面。（植付け時・３月１２日の育成状況）
【図１６】図１４の混合比率の植物育成用の有機質土壌における、各植物の生育状況を示す図面。（植付け７日後・３月１９日の育成状況）
【図１７】図１４の混合比率の植物育成用の有機質土壌における、各植物の生育状況を示す図面。（植付け１６日後・３月２８日の育成状況）
【図１８】図１４の混合比率の植物育成用の有機質土壌における、各植物の生育状況を示す図面。（植付け２４日後・４月４日の育成状況）
【図１９】火山噴出物の堆積土壌の一例としてのボラ土（日向土）の図面である。
【発明を実施するための形態】
【００３２】
図１において、火山噴出物の堆積土壌を木酢液（Ｅ）に浸漬して、木酢液を浸透させた火山噴出物の堆積土壌（Ｂ）とする工程について、説明する。
【００３３】
火山噴出物の堆積土壌とは、火山灰や軽石やスコリアを含む火山放出物に由来する土壌を言う。我が国は世界有数の火山国であることから、火山灰土壌の分布も広く、国土の約１６％にも及んでいる。
【００３４】
地域的には、北海道、東北、関東、及び九州に広く分布している。
一般に黒くて、厚い表土を持つことが重要な特徴である。火山噴出物の堆積土壌としては、不良土と呼ばれる火山灰土と、酸性土壌の占める割合が圧倒的に多い。
通常の不良火山灰土としては、鹿児島県のシラスや宮崎県のボラ土（日向土）や、アカホヤ等の名称の火山噴出物の堆積土壌が存在する。
図１９においては、火山噴出物の堆積土壌の一例としてのボラ土（日向土）を図示している。
育成には不向きであるが、種々の他の有機物土壌と混合することにより、植物育成用土壌の増量効果を得ることが出来、また、植物の幹を支持する植物育成用土壌として混合されるものである。
【００３５】
本発明は、植物の育成や、農業用土壌としては、不良灰土に属するボラ土（日向土）を用いた植物育成用土壌を提供するものであり、コストとして安くしたものである。
次に火山噴出物の堆積土壌の中の一つであるボラ土（日向土）について説明する。
ボラ土（日向土）は、霧島系火山帯の噴出物の堆積土壌であり、軽石系の火山噴出物よりなる堆積土壌である。外観は、淡い褐色から白色の粒状であり、乾燥している場合の色と湿った状態の差も明瞭ではない。園芸用土の中では、鹿沼土と軽石の中間程度の硬さで、長く使用しても砕けて粉状になることは少ない。
土粒は多孔質で水はけと通気性が良い。使用感としては、土よりも砂利に近く、少しの振動で鉢内で移動したり、鉢外にこぼれ出したりする。粒と粒の間の間隙が大きいために、灌水すると殆ど抵抗なく水が鉢底から流れ出してしまう用土であり、他の混合物の比率により、このような性質を調節して使用するものである。
【００３６】
ボラ土はこのような性質の用土であるので、単独で用いる場合には、鉢上部には大きさの細かなものを使い、鉢底には粗めの粒を入れるといった用土の使い分けが一般的である。基本的には水はけや通気性を改善する目的で混合して使う場合が多い。
ボラ土は、有害な雑菌や雑草の種子の混入も少ないというクリーンな用土として用いられる。ボラ土が最も適しているのは、シュンランやカンランやオモトといった古典的園芸植物の用土である。このような植物は根が通気を好む気根の性質が強く、鉢内の過湿が根腐れという状況を招くので、通気性のよいボラ土が用いられる場合が多い。他の植物の場合も、灌水のやり過ぎによる根腐れの失敗が少ないので、水管理のしやすい土壌として使われる。
ＰＨは弱酸性（ＰＨ５〜６）であり、雑菌が少なく、水はけが良く、粒が硬く崩れ難いと特徴がある。
【００３７】
また、価格が安く、植物育成用土壌の増量材や植物の根の支持材料として使用できる。粒の大きさごとに選別して売られている為に篩に掛ける必要がない。アルカリ性植物を除きなんでも栽培できる用途の広い火山噴出物の堆積土壌である。アルカリ性植物を植える場合には、苦土石灰を１０リットル当たり５０〜１００グラム混合する。
他の火山噴出物の堆積土壌である鹿沼土よりも硬質なので、シンビジウム等の洋蘭や、観音竹や万年青等の栽培には主として用いられる。
【００３８】
本発明においては、火山噴出物の堆積土壌を一般的に用いることができるが、とりわけ、ボラ土（日向土）を木酢液（Ｅ）に浸漬したものが効果的である。
【００３９】
他の火山噴出物の堆積土壌としては、鹿沼土がある。鹿沼土は、栃木県から茨城県に掛けて算出し、特に鹿沼市で良質の用土が取れるために鹿沼土という。今から３万年前に群馬県の赤城山が火山爆発したときの噴出物だと言われる。主成分は珪酸とアルミニウムである。
【００４０】
他の火山噴出物の堆積土壌として、赤玉土がある。該赤玉土は、八ヶ岳、浅間山、箱根、富士山などの噴出した火山噴出物の堆積土壌であり、篩で濾過して玉状にしたものでる。赤い色は土中の鉄分が酸素と反応したものであり、鉄錆びの色である。この赤玉土は用途の広い用土である。柔らかくて簡単に潰れる。粒の大きさごとに選別して売られているので篩に掛ける必要がない。普通の鉢物から盆栽まで用途は広い。
【００４１】
該木酢液（Ｅ）について説明する。
木酢液（Ｅ）とは、木材を乾留した際に発生する乾留液の上澄分のことである。代表的な例としてしては、樫類の木材の炭焼き時に副産物として木酢液（Ｅ）が製造される。外見は赤褐色または暗褐色の液体である。その殆どが水分であるが、木材由来の酢酸などの有機酸が含まれており、弱酸性を示す。
【００４２】
それ以外の成分としては、アルコール類や、カルボニル化合物、あるいはフェノール類やフラン類といった芳香族化合物などが含まれる。原材料である木材の種類や、乾留の条件により成分に木酢液のバラツキが発生する。
【００４３】
メタノールの別名である「木精」は、かって木酢液（Ｅ）の蒸留によりメタノールが作られていたことに由来している。フェノール類は、主に木材の成分であるリグニンから発生する。
かつて、木酢液（Ｅ）は酢酸やメタノールを製造する為の原料として使用されたが、これらの化学物質の供給源は、化学合成あるいは醸造原料にとって代わられた。
現在は、昆虫が忌避することから、農薬的な使用用途や、民間療法、厚生目的での利用用途がある。食品加工法の一つである液体燻製では、木酢液（Ｅ）から得られた燻液（スモークフレーバー）が用いられている。
【００４４】
しかし、工業的に炭焼きをする場合において大量に発生することから、木酢液（Ｅ）の発生量は多くなり、近年は木酢液の製造量に対応する、使用用途が少なく、木酢液（Ｅ）自体が持て余し気味となっていた。木酢液を土壌に散布したり、あるいは野菜や花卉等に散布すると成長が良くなることはしられており、実際に使用されている。
最近では、ゴルフ場の芝生に散布する農薬の残留毒性の問題がクローズアップされており、従来から用いられている合成農薬に代わる天然農薬を必要とする声が大きくなっている。このような情勢において、炭焼きの段階で熱分解を受けているものの、原料が植物である木酢液の植物成長調節作用が注目を浴びているのである。
【００４５】
例えば、木酢液をカラマツの苗木に施こすことにより、カラマツ苗木の養分吸収が大きくなり、木酢液を施した後の土壌の化学的性質は無処理地区とあまり変わらないという例が示されている。
また、静置処理した木酢液が水稲種子の発芽に良好な結果を与えることや、水稲育苗用に適していることも知られている。即ち、水稲苗の屈起性が向上し、苗の根量を増やし、かつ根の活性を高める。また、水稲苗を本田に移植後に幼苗の生育を促進させ、移植後の抵抗性を高める。
【００４６】
本発明においては、この木酢液（Ｅ）の成長促進効果を利用する為に、ボラ土（日向土）（Ａ）を木酢液（Ｅ）に浸漬し、木酢液を浸透させた火山噴出物の堆積土壌（Ｂ）とし、バーク堆肥（Ｍ）と混合させ、植物育成用土壌を構成するのである。
【００４７】
図１においては、ボラ土（日向土）（Ａ）をフレコン（Ｃ）に投入し、該フレコン（Ｃ）を、木酢液（Ｅ）の溶液を満たした容器（Ｄ）中に浸漬するのである。
該浸漬時間は、０．５〜２日間とし、最適な時間は丸一日間程度とする。そして、次に、ボラ土（日向土）（Ａ）の入ったフレコン（Ｃ）を、容器（Ｄ）の上方まで引き上げて、そのまま１日間放置し、ボラ土（日向土）（Ａ）の気孔に吸収しきれない木酢液（Ｅ）を、容器（Ｄ）の内部に落下させて戻すのである。
この戻す量は、８０％であり、ボラ土（日向土）（Ａ）の気孔に吸収されて残った木酢液は、２０％とする。
容器（Ｄ）に落下した木酢液（Ｅ）は、さらに元の濃度に戻すべく木酢液（Ｅ）を注入して、次のボラ土（日向土）（Ａ）入りのフレコン（Ｃ）の浸漬の工程に使用するのである。
【００４８】
次に、図２において、バーク堆肥（Ｍ）の製造プラントと製造工程について説明する。
人工植林された植林より、杉を主体とする樹木（Ｔ）が伐採されて、住宅や家具などの用途に、木材が加工される工程においては、まずは伐採の後に、製材所において、皮むきが行われる。該杉を主体とする樹木（Ｔ）の樹皮を、機械によりまたは人力により、樹皮（Ｊ）が剥がれるのである。従来はこの樹皮（Ｊ）の利用用途が少なく、人里離れた場所において、積み上げられて、発酵するのを待って、また山の土壌に戻されていたのである。
【００４９】
本発明においては、この杉を主体とする樹木（Ｔ）の樹皮（Ｊ）を、剥いだ後に、図１のように高さ５ｍ以上の大きな山状に積み上げて、６ヶ月間程度嫌気性状態で発酵させるのである。この高さ５ｍというのは、樹皮を積み上げた状態で、その自重により、内部が圧縮されて発熱を開始する程度の高さから設定されている。
この嫌気性発酵状態においては、該樹皮（Ｊ）の山の内部は、約９０度程度まで温度が上昇する。
原料に使用する樹皮（Ｊ）は国産の杉やヒノキを主体とする樹木（Ｔ）であり、他の樹種は使用しない。樹皮（Ｊ）は自然剥離したものが最良であるが、その他の木材市場などで原木の荷積み、荷降ろし、皮剥ぎ等の際に剥がれる樹皮も原料として用いる。原料の堆積高さは５ｍ以上を基準とし、また、従来の堆肥製造方法とは異なり、切り返しは行わない。むしろ積極的に樹皮の山の内部を嫌気性発酵状態にする必要がある。
【００５０】
一般にバーク堆肥（Ｍ）を製造する場合に、まずは外部から好気性反応がおこり、微生物の活動により外部の樹皮が酸化されて、発熱を伴うが、水と炭酸ガスに変わるので自然発火は発生しない。そして、内部の温度が９０℃程度まで上昇し、５ｍ以上に積み上げた樹皮の山の内部は嫌気性発酵状態となる。該樹皮を嫌気状態で加熱することによって、有機酸が生成される他に、一部の樹皮は炭化される。
【００５１】
この状態で、杉を主体とする樹皮（Ｊ）の場合には、６ヶ月間以上放置して発酵させた材料を、バーク堆肥（Ｍ）として用いるのである。
該６ヶ月間の間、嫌気性発酵状態で発酵させた樹皮（Ｊ）は、自然な発酵によりボロボロとなる程度まで発酵されるのである。
この発酵させた樹皮（Ｊ）を、使用した傾斜した筒内において回転する爪により破砕するハンマークラッシャー（Ｆ）に掛けて、破砕するのである。この破砕後の大きさは、１〜５０ｍｍ程度までの破砕を行うのである。
【００５２】
次に、該ハンマークラッシャー（Ｆ）で破砕した後のバーク堆肥（Ｍ）を、回転筒式のトロンメル選別機（Ｇ）により、１０ｍｍ〜１５ｍｍ、好ましくは１２ｍｍ以下の繊維長さのバーク堆肥（Ｍ）に選別するのである。
木酢液を浸透させた火山噴出物の堆積土壌（Ｂ）とバーク堆肥（Ｍ）を、本発明の植物育成用の有機質土壌として混合するものである。
【００５３】
前記ハンマークラッシャー（Ｆ）は、約２０度〜３０度に傾斜された傾斜容器円筒（１４）内において、回転クラッシャ軸（１７）がモーター駆動により回転されている。
該回転クラッシャ軸（１７）には、傾斜容器円筒（１４）の入口ホッパー（１５）の部分に近い上部において、スパイラル爪（１０）が植設されている。該スパイラル爪（１０）は、傾斜容器円筒（１４）の入口ホッパー（１５）の部分に投入された、発酵樹皮はスムーズにハンマークラッシャー（Ｆ）内に取り込む役目を持っている。
【００５４】
該スパイラル爪（１０）は、４〜８本が植設されており、該スパイラル爪（１０）は、破砕爪取付杆（１２）の先端に板状の爪体（１８）が固定された形状としており、該板状の爪体（１８）にスパイラル状の歪みが構成されている訳ではなく、４乃至８本の爪の位置がスパイラルの位置に立設されて、一次破砕物（Ｃ）を取り込み可能なスパイラル爪（１０）を構成している。
【００５５】
また、傾斜容器円筒（１４）の入口ホッパー（１５）の位置に設けたスパイラル爪（１０）の後段において、回転クラッシャ軸（１７）に固設された破砕爪取付杆（１２）には、先端において回転可能に枢支状態に取付けられた破砕爪（１１）が多数設けられている。
該破砕爪（１１）は、１本の破砕爪取付杆（１２）の先端に、１本の枢支ボルトを介して、２本が取付け可能とされており、本実施例のハンマークラッシャー（Ｆ）において、回転クラッシャ軸（１７）の周囲に設けられた６４本の破砕爪取付杆（１２）に対して２枚ずつの破砕爪（１１）が枢支されており、合計１２８枚の破砕爪（１１）が枢支されている。
【００５６】
該破砕爪（１１）は回転クラッシャ軸（１７）の回転と共に遠心力で傾斜容器円筒（１４）の内径に近い位置まで突出して、傾斜容器円筒（１４）の内径に設けた凸部刃との間で、一次破砕物（Ｃ）を圧迫して破砕するように構成している。刃による切断ではなく、圧迫による破砕を行うので、刃の部分が摩耗することはなく、耐久性の向上につながるのである。
本発明においては、前記破砕爪（１１）の破砕爪取付杆（１２）に取り付ける枚数を変更可能としている。これにより、ハンマークラッシャー（Ｆ）により破砕後の繊維長を，１〜３０ｍｍ程度までの間で調整可能としているのである。
該ハンマークラッシャー（Ｆ）の傾斜容器円筒（１４）の下端部において、出口筒（１６）が設けられており、該出口筒（１６）から出た破砕後のバーク堆肥（Ｍ）は、次に、回転筒式のトロンメル選別機（Ｇ）に供給される。
【００５７】
該回転筒式のトロンメル選別機（Ｇ）は、図９と図１０と図１１と図１２に示す如く構成されている。
即ち、回転筒式のトロンメル選別機（Ｇ）の内部には、穿孔回転筒篩（１３）が架設されており、回転筒式のトロンメル選別機（Ｇ）の内部で外周を、ローラーにより支持されて回転駆動される。
該穿孔回転筒篩（１３）の孔（１９）の径は１０〜２０ｍｍに設定されており、一次破砕物（Ｃ）の繊維が縦方向に抜けた場合は別として、１０ｍｍ以上の一次破砕物（Ｃ）は、出口筒（１６）より外部に放出されるように構成されている。
前記穿孔回転筒篩（１３）の孔（１９）の径である１０ｍｍ以下のバーク堆肥（Ｍ）の繊維が、回収ホッパー（２２）より回収されて、最終的なバーク堆肥（Ｍ）として使用されるのである。
【００５８】
次に、図１４〜図１６において、木酢液を浸透させた火山噴出物の堆積土壌（Ｂ）とバーク堆肥（Ｍ）とを混合した植物育成用の有機質土壌について説明する。
図１４においては、本発明の植物育成用の有機質土壌の性能評価を行う為の試験土壌について説明している。
【００５９】
試験土壌（ａ）は、前述したバーク堆肥（Ｍ）が９０％に、木酢液を浸透させた火山噴出物の堆積土壌（Ｂ）が９．５％に、肥料としての下水汚泥が０．５％混合されている。  該木酢液を浸透させた火山噴出物の堆積土壌（Ｂ）の製造工程における、木酢液（Ｅ）と水の比率は、５％対９５％としている。
試験土壌（ｂ）は、前述したバーク堆肥（Ｍ）が９０％に、木酢液を浸透させた火山噴出物の堆積土壌（Ｂ）が９．５％に、肥料としての下水汚泥が０．５％混合されている。
該木酢液を浸透させた火山噴出物の堆積土壌（Ｂ）の製造工程における、木酢液（Ｅ）と水の比率は、１０％対９０％としている。
【００６０】
試験土壌（ｃ）は、前述したバーク堆肥（Ｍ）が９０％に、木酢液を浸透させた火山噴出物の堆積土壌（Ｂ）が９．５％に、肥料としての下水汚泥が０．５％混合されている。
該木酢液を浸透させた火山噴出物の堆積土壌（Ｂ）の製造工程における、木酢液（Ｅ）と水の比率は、２０％対８０％としている。
試験土壌（ｄ）は、前述したバーク堆肥（Ｍ）が９０％に、木酢液を浸透させた火山噴出物の堆積土壌（Ｂ）が９．５％に、肥料としての下水汚泥が０．５％混合されている。
該木酢液を浸透させた火山噴出物の堆積土壌（Ｂ）の製造工程における、木酢液（Ｅ）と水の比率は、５０％対５０％としている。
【００６１】
試験土壌（ｅ）は、前述したバーク堆肥（Ｍ）が９０％に、木酢液を浸透させた火山噴出物の堆積土壌（Ｂ）が９．５％に、肥料としての下水汚泥が０．５％混合されている。
該木酢液を浸透させた火山噴出物の堆積土壌（Ｂ）の製造工程における、木酢液（Ｅ）と水の比率は、１００％対０％としている。
試験土壌（ｆ）は、バーク堆肥（Ｍ）が１００％で、木酢液を浸透させた火山噴出物の堆積土壌（Ｂ）は混入されていない。
以上のような植生試験用の植生基盤により、試験が行われている。
【００６２】
図１５は、図１４に示した混合比率の植物育成用の有機質土壌の植生試験の状況を示す図面であり、植付け時の状況を示す写真である。                                      試験土壌（ｆ）は、木酢液を浸透させた火山噴出物の堆積土壌（Ｂ）が混合されておらず、バーク堆肥（Ｍ）が１００％である。
【００６３】
その他の、試験土壌（ａ）から試験土壌（ｅ）は、木酢液を浸透させた火山噴出物の堆積土壌（ｂ）を製造する際の、水と木酢液（ｅ）との比率の相違する試験土壌により試験を行っている。
【００６４】
即ち、バーク堆肥（Ｍ）に対する木酢液を浸透させた火山噴出物の堆積土壌（Ｂ）の割合は、全て同じとしており、バーク堆肥（Ｍ）が９５％に対して、バーク堆肥（Ｍ）が９．５％とし、これに、肥料である下水汚泥を０．５％混入したものである。
【００６５】
そして、９．５％を混入した木酢液を浸透させた火山噴出物の堆積土壌（Ｂ）を浸漬する木酢液（Ｅ）の溶液において、水に対する木酢液（Ｅ）の割合が、試験土壌（ａ）から試験土壌（ｅ）に至るにつれて、５％・１０％・２０％・５０％・１００％と変化させているのである。
【００６６】
図１６は、図１４の混合比率の植物育成用の有機質土壌における、各植物の生育状況を示す図面であり、植付け７日後の育成状況を示すものである。
図１７は、図１４の混合比率の植物育成用の有機質土壌における、各植物の生育状況を示す図面であり、植付け１６日後の育成状況を示すものである。
図１８は、図１４の混合比率の植物育成用の有機質土壌における、各植物の生育状況を示す図面であり、植付け２４日後・４月４日の育成状況を示すものである。
【００６７】
図１５から図１８の育成状況の流れより、次のような判断ができる。
試験土壌（ｆ）の育成状況が他よりも悪いということから、バーク堆肥（Ｍ）のみの植物育成用土壌よりも、木酢液（Ｅ）を浸透させた火山噴出物の堆積土壌（Ｂ）を加えた方が植物育成用土壌として育成状況が良くなるということが理解できる。
【００６８】
また、浸漬液の比率は、水が０％で木酢液（Ｅ）が１００％よりも、水が混合されて希釈された木酢液（Ｅ）の方が育成を助長する効果を発揮する。
そして、木酢液（Ｅ）と水の比率が、木酢液（Ｅ）が５０％から５％の間では、５％と木酢液（Ｅ）が薄くなる方が、良好である。しかし、木酢液（Ｅ）の比率が５０〜５％の間では、あまり顕著な相違はみられない。
木酢液（Ｅ）は、本植物育成用土壌を構成する材料の中では、高価な材料であるので、少ない方がコストの低下に効果的である。故に、水と木酢液（Ｅ）の比率は水９５％で木酢液（Ｅ）が５％が好適であると結論できる。
【００６９】
以上の如く、本発明は、火山噴出物の堆積土壌を、木酢液に浸漬することにより、木酢液の浸透した火山噴出物の堆積土壌とし、杉を主体とする木材の樹皮を、発酵させた後に押圧破砕し、短繊維状のバーク堆肥を構成し、前記木酢液を浸透させた火山噴出物の堆積土壌と、短繊維状のバーク堆肥とを混合したものである。
また、短繊維状のバーク堆肥は、杉を主体とする木材の樹皮を、木質部から剥がして山状に積み上げて、該積み上げた状態の内部において、嫌気性発酵状態とし、約６ヶ月以上放置して、発酵状態の樹皮を形成し、該杉を主体とする木材の発酵状態の樹皮を押圧することにより破砕して、短繊維状のバーク堆肥としたものである。
【００７０】
また、木酢液を浸透させた火山噴出物の堆積土壌（Ｂ）とバーク堆肥（Ｍ）の比率は、１対９程度とし、木酢液を浸透させた火山噴出物の堆積土壌（Ｂ）の方を少なくしたものである。また肥料としての下水汚泥の混合比率は、木酢液を浸透させた火山噴出物の堆積土壌（Ｂ）とバーク堆肥（Ｍ）の全体に対して、０．５％程度としたものである。
また、火山噴出物の堆積土壌を浸漬する木酢液は、木酢液と水の混合液とし、木酢液を５％〜５０％とし、水を９５％〜５０％としたものである。
【００７１】
また、木酢液に火山噴出物の堆積土壌を浸漬する時間は、０．５〜２日間としたものである。
１
【符号の説明】
【００７２】
Ａ  ボラ土（日向土）
Ｂ  木酢液を浸透させた火山噴出物の堆積土壌
Ｃ  フレコン
Ｄ  大容量容器
Ｅ  木酢液
Ｆ  ハンマークラッシャー
Ｇ  回転筒式のトロンメル選別機
Ｊ  樹皮
Ｍ  バーク堆肥
Ｔ  杉を主体とする樹木
ａ〜ｆ  試験土壌
【図１】
2015204776.tif 000003
【図２】
2015204776.tif 000004
【図３】
2015204776.tif 000005
【図４】
2015204776.tif 000006
【図５】
2015204776.tif 000007
【図６】
2015204776.tif 000008
【図７】
2015204776.tif 000009
【図８】
2015204776.tif 000010
【図９】
2015204776.tif 000011
【図１０】
2015204776.tif 000012
【図１１】
2015204776.tif 000013
【図１２】
2015204776.tif 000014
【図１３】
2015204776.tif 000015
【図１４】
2015204776.tif 000016
【図１５】
2015204776.tif 000017
【図１６】
2015204776.tif 000018
【図１７】
2015204776.tif 000019
【図１８】
2015204776.tif 000020
【図１９】
2015204776.tif 000021
【手続補正書】
【提出日】平成26年11月13日(2014.11.13)
【手続補正１】
【補正対象書類名】明細書
【補正対象項目名】全文
【補正方法】変更
【補正の内容】
【発明の詳細な説明】
【技術分野】
【０００１】
本発明は、野菜栽培や園芸用の植物育成用の土壌に関するものである。
火山噴出物の堆積土壌を、木酢液に浸漬して、木酢液を浸透させた火山噴出物の堆積土壌とし、これに対して、杉やヒノキ等の針葉樹の樹皮を発酵することにより構成した、有機質土壌改良材である短繊維状のバーク堆肥とを混合して植物育成用の土壌を構成したものである。
【背景技術】
【０００２】
植物育成用の有機質土壌としては、以下の性能が求められる。
（１）植物の育成を助長し、強い植物を育成することのできる土壌であること。また、水による浸食に強い植物を植生することが可能であることなどである。
（２）植物のために混合した肥料が、海や川に流れだすのを阻止する必要があり、肥料を植物育成用の有機質土壌に抱き込んだ状態で、水により浸食されても、肥料分を流さないという作用効果が必要である。
（３）混合された肥料の効果に加えて、土壌の肥料に対する緩衝材として作用し、肥料の効果が長く続行するようにし、また、一気に植物に対して肥料が効果を発揮して、肥料焼けを起こさないようにするという役目も必要となっている。
【０００３】
一般に用いられている牛舎や豚舎や鶏舎から発生する堆肥を乾燥して構成した植物育成用の有機質土壌の場合には、繊維質が少ないので、上記したような、肥料を抱き込んで保持する効果や、肥料の効果を緩衝する緩衝材としての役目を果たすことが出来ないのである。
そのために、防潮堤の植物育成用の有機質土壌から、肥料分が海や川に流れ出して、富栄養化の原因となっていたのである。
【０００４】
また、植物育成用の有機質土壌は、堤防の植物を育てるためや、道路の法面において植物を育てる場合や、崖崩れ防止用の法面に植物を育てる場合や、一般住宅の庭園の植物を育てる場合等において、大量に使用されるものである。
故に、値段が高い場合には、工事に対するコストが合わず、大量に、かつ、品質の一定した植物廃棄物に由来する有機質土壌を、一定の品質の元で提供できるということが不可能なのである。
出来れば、有機性廃棄物の再利用として、植物育成用の有機質土壌が製造されることがコストの低減や、廃棄物の処理を迅速に出来るという効果が発揮できるのである。
また、コストが低くても、植物の育成を助長することが出来る植物育成用土壌であることが求められているのである。
【０００５】
本発明は、日本全国における火山の噴火において発生する、火山噴出物の堆積土壌を使用して、該火山噴出物の堆積土壌を、これも木炭焼成において発生する廃棄物であり、かつ、植物の育成に好影響を与える木酢液に浸漬し、木酢液による植物の育成を助長させ、この木酢液を浸透させた火山噴出物の堆積土壌を、杉や檜等の針葉樹の樹皮により構成した有機質土壌改良材であるバーク堆肥を混合して、植物育成用の有機質土壌として、品質的にも、量的にも、経済的にも使用可能なものとするのである。
【０００６】
従来の植物育成用の有機質土壌としては、特公平６−６２３５３号公報、特開平６−２８４８１５号公報に記載の技術が公知とされている。
【先行技術文献】
【特許文献】
【０００７】
【特許文献１】特公平６−６２３５３号公報
【特許文献２】特開平６−２８４８１５号公報
【発明の概要】
【発明が解決しようとする課題】
【０００８】
本発明は、上記の問題を解決するために、木酢液を浸透させた火山噴出物の堆積土壌と、杉や檜等の針葉樹の樹皮により構成した、廃棄物の再利用であるバーク堆肥を混合することにより、植物の育成を助長し、肥料分の溶けだしを阻止する植物育成用土壌とすることが出来るのである。
また、該繊維質分が、肥料の緩衝材としての役目を果たし、長時間に渡り、ゆっくりと肥料成分が作用し、また植生に対して、肥料分が強く作用しすぎるのを緩衝することが出来る植物育成用の有機質土壌を提供するのである。
【課題を解決するための手段】
【０００９】
本発明は、以上のような目的を達成する為に、次の如く構成したものである。
【００１０】
請求項１においては、火山噴出物の堆積土壌を、木酢液に浸漬することにより、木酢液の浸透した火山噴出物の堆積土壌とし、杉を主体とする木材の樹皮を、発酵させた後に押圧破砕し、短繊維状のバーク堆肥を構成し、前記木酢液を浸透させた火山噴出物の堆積土壌と、短繊維状のバーク堆肥とを混合したものである。
【００１１】
請求項２においては、請求項１記載の植物育成用土壌において、前記短繊維状のバーク堆肥は、杉を主体とする木材の樹皮を、木質部から剥がして大量に山状に積み上げて、該積み上げた状態の内部において、嫌気性発酵状態とし、約６ヶ月以上放置して、発酵状態の樹皮を形成し、該杉を主体とする木材の発酵状態の樹皮を押圧することにより破砕して、短繊維状のバーク堆肥としたものである。
【００１２】
請求項３においては、請求項１記載の植物育成用土壌において、前記木酢液を浸透させた火山噴出物の堆積土壌と、短繊維状のバーク堆肥との混合物に対して、更に低比率で肥料を混合したものである。
【００１３】
請求項４においては、請求項１記載の植物育成用土壌において、前記火山噴出物の堆積土壌を、ボラ土としたものである。
【００１４】
請求項５においては、請求項１記載の植物育成用の植物育成用土壌において、前記火山噴出物の堆積土壌を浸漬する木酢液は、樫類の樹木を炭化する際に発生する木酢液としたものである。
【００１５】
請求項６においては、請求項２記載の植物育成用の有機質土壌において、杉を主体とする短繊維状のバーク堆肥の製造において、木材の発酵樹皮の短繊維化においては、傾斜した筒内において回転する爪により破砕するハンマークラッシャーによりバーク堆肥を破砕し、該破砕後の発酵樹皮を、回転筒式のトロンメル選別機により、短繊維だけを選別するものである。
【００１６】
請求項７においては、請求項１記載の植物育成用の有機質土壌において、前記バーク堆肥と、木酢液を浸透させた火山噴出物の堆積土壌の混合割合を変更することにより、植生する各種植物に対応した植物育成用の有機質土壌を構成するものである。
【００１７】
請求項８においては、請求項３記載の植物育成用土壌において、前記バーク堆肥と、木酢液を浸透させた火山噴出物の堆積土壌の混合物の比率を９対１程度とし、該混合物に対して、肥料の比率を、１％以下としたものである。
【００１８】
請求項９においては、請求項１記載の植物育成用土壌において、火山噴出物の堆積土壌を浸漬する木酢液は、木酢液と水の混合液とし、木酢液を５％〜５０％とし、水を９５％〜５０％としたものである。
【００１９】
請求項１０においては、請求項１記載の植物育成用土壌において、木酢液に火山噴出物の堆積土壌を浸漬する時間は、０．５〜２日間としたものである。
【発明の効果】
【００２０】
以上のように本発明を構成したことにより、次のような効果を奏する。
【００２１】
請求項１においては、火山噴出物の堆積土壌を、木酢液に浸漬することにより、木酢液の浸透した火山噴出物の堆積土壌とし、杉を主体とする木材の樹皮を、発酵させて押圧破砕して、短繊維状のバーク堆肥を構成し、前記木酢液を浸透させた火山噴出物の堆積土壌と、短繊維状のバーク堆肥とを混合したので、木酢液を浸透させた火山噴出物の堆積土壌と、伐採後の杉の樹皮を６ヶ月程度嫌気性発酵状態とした後のバーク堆肥とにより、植物育成用の有機質土壌を製造することが可能となったのである。
火山噴出物の堆積土壌は自然に大量に存在するものであり、短繊維状のバーク堆肥は、林業において大量に発生する産業廃棄物であるので、原料の量的にも問題なく、一定の品質の植物育成用土壌を短期間で得ることができるのである。
また、木酢液は、植物の成長を促進する作用、特に根を強くする等の効果を具備しているので、出来上がった植物育成用土壌は、通常の培土以上の、野菜や園芸作物の成長促進の効果を発揮させることが出来るのである。
【００２２】
請求項２においては、請求項１記載の植物育成用土壌において、短繊維状のバーク堆肥は、杉を主体とする木材の樹皮を、木質部から剥がして大量に山状に積み上げて、該積み上げた状態の内部において、嫌気性発酵状態とし、約６ヶ月以上放置して、発酵状態の樹皮を形成し、該杉を主体とする木材の発酵状態の樹皮を押圧することにより破砕して、短繊維状のバーク堆肥としたので、傾斜した筒内において回転する爪により破砕するハンマークラッシャーで押圧破砕するだけで、簡単に一定の長さの繊維質のバーク堆肥を得ることが出来るのである。
また、ハンマークラッシャーの爪の耐久性を増加し、また破砕に要するエネルギー消費を抑制することが出来るのである。
【００２３】
請求項３においては、請求項１記載の植物育成用土壌において、該木酢液を浸透させた火山噴出物の堆積土壌と、短繊維状のバーク堆肥との混合物に対して、更に低比率で肥料を混合したので、植物の育成の助長を更に助けることが出来るのである。
【００２４】
請求項４においては、請求項１記載の植物育成用土壌において、火山噴出物の堆積土壌が、ボラ土（日向土）としたので、ボラ土（日向土）と特に粒の内部の気孔が多く、また気孔の形状が整っているので、木酢液の吸収が確実に行われ、また木酢液の溶液から引き上げた場合にも、一定の割合の木酢液をボラ土（日向土）の内部に保水状態で維持することが確実に行えるのである。
【００２５】
請求項５においては、請求項１記載の植物育成用の植物育成用土壌において、前記火山噴出物の堆積土壌を浸漬する木酢液は、樫類の樹木を炭化する際に発生する木酢液としたので、木酢液自体が、樫類の樹木の炭焼き時において発生する廃棄物である木酢液の有効利用により、火山噴出物の堆積土壌を、大量に植物育成用の土壌にする道が開けたのである。
また、廃棄物の一種として、大量に発生する樫類の木酢液の利用用途が今だ見つかっていなかったが、この木酢液の有効利用に道を開くことが出来たのである。
また、樫類の樹木の木酢液が最も、植物の育成において効果的に作用するのである。
【００２６】
請求項６においては、請求項２記載の植物育成用の有機質土壌において、杉を主体とする短繊維状のバーク堆肥の製造において、木材の発酵樹皮の短繊維化においては、傾斜した筒内において回転する爪により破砕するハンマークラッシャーによりバーク堆肥を破砕し、該破砕後の発酵樹皮を、回転筒式のトロンメル選別機により、短繊維だけを選別するので、杉を主体とする樹木の樹皮を６ヶ月の間発酵し、その後は、樹木切断機を用いることなく、傾斜した筒内において回転する爪により押圧破砕するハンマークラッシャーにて、簡単に１０〜５０ｍｍ以下の繊維状に破砕することが出来るのである。
この短繊維状のバーク堆肥を、回転筒式のトロンメル選別機により、１２ｍｍ以下の長さの短繊維を選別するだけで、コストを易くして、品質の一定した植物育成用の有機質土壌を製造することが出来るのである。
【００２７】
請求項７においては、請求項１記載の植物育成用の有機質土壌において、前記バーク堆肥と、木酢液を浸透させた火山噴出物の堆積土壌の混合割合を変更することにより、植生する各種植物に対応した植物育成用の有機質土壌を構成するので、比較的コストが高くなる木酢液を浸透させた火山噴出物の堆積土壌の使用を最小限度として、比較的にコストの低いバーク堆肥の混合比率を高くして、対象とする植物に最適で、最低値段の植物育成用の有機質土壌を製造することが可能となるのである。
【００２８】
請求項８においては、請求項３記載の植物育成用土壌において、前記バーク堆肥と、木酢液を浸透させた火山噴出物の堆積土壌の比率を９対１程度とし、該混合物に対して、肥料の比率を、１％以下としたので、コストを安くし、かつ植物の育成の助長に効果を発揮するのである。
また、木酢液を浸透させた火山噴出物の堆積土壌の使用を最小限度として、比較的にコストの低いバーク堆肥の混合比率を高くして、対象とする植物に最適で、最低値段の植物育成用の有機質土壌を製造することが可能となるのである。
【００２９】
請求項９においては、請求項１記載の植物育成用土壌において、火山噴出物の堆積土壌を浸漬する木酢液は、木酢液と水の混合液とし、木酢液を５％〜５０％とし、水を９５％〜５０％としたので、比較的コストが高くなる木酢液の使用量を少なくすることが出来たものである。
【００３０】
請求項１０においては、請求項１記載の植物育成用土壌において、木酢液に火山噴出物の堆積土壌を浸漬する時間は、０．５〜２日間としたので、木酢液に漬けた火山噴出物の堆積土壌は、粒の内部に気孔が多く存在するので、該気孔の存在により保水性が高く、この火山噴出物の堆積土壌を、木酢液に浸漬すると、気孔に木酢液が吸着されるのである。その後に、火山噴出物の堆積土壌を引き上げて、木酢液の容器の上に吊るすことにより、必要な所定率以上の木酢液が火山噴出物の堆積土壌から落下して、木酢液の容器に戻るのである。木酢液の浸透率は、浸漬した際の木酢液の全溶液の２割程度が浸透され、あとの８割は容器に残り、次の火山噴出物の堆積土壌の浸漬において使用されるのである。
該残った木酢液の溶液は、元の比率に戻るように木酢液を追加注入するのである。
【図面の簡単な説明】
【００３１】
【図１】火山噴出物の堆積土壌であるボラ土（日向土）（Ａ）を、フレコン（Ｃ）に投入して、木酢液（Ｅ）の溶液を入れた容器（Ｄ）内に浸漬し、０．５〜２日で引きあげて、２０％の木酢液をボラ土（日向土）に吸収させた木酢液を浸透させた火山噴出物の堆積土壌（Ｂ）状態で取りだす工程を示す図面。
【図２】杉を主体とする樹木（Ｔ）の針葉樹の樹皮により構成した有機質土壌改良材であるバーク堆肥を製造するプラントと工程を示す図面。
【図３】火山噴出物の堆積土壌（Ｂ）とバーク堆肥（Ｍ）を製造するプラントにおいて用いる、傾斜した筒内において回転する爪により破砕するハンマークラッシャー（Ｆ）の外形斜視図。
【図４】同じくハンマークラッシャー（Ｆ）の全体側面図。
【図５】同じくハンマークラッシャー（Ｆ）の内部に配置したスパイラル爪（１０）と破砕爪（１１）と破砕爪取付杆（１２）の構成を示す図面。
【図６】破砕爪（１１）の取付け状態の斜視図。
【図７】スパイラル爪（１０）の取付け状態の斜視図。
【図８】スパイラル爪（１０）と破砕爪（１１）の平面図と側面図。
【図９】破砕後のバーク堆肥（Ｍ）を短繊維だけを選別する回転筒式のトロンメル選別機（Ｇ）の側面図。
【図１０】同じく回転筒式のトロンメル選別機の穿孔回転筒（１３）のみを取り出した側面図。
【図１１】バーク堆肥（Ｍ）の短繊維分を穿孔回転筒（１３）により選別する状態の側面図。
【図１２】バーク堆肥（Ｍ）の短繊維分を穿孔回転筒（１３）により選別する状態の正面図。
【図１３】回転筒式のトロンメル選別機（Ｇ）により選別した後のバーク堆肥（Ｍ）の状態を示す斜視図。
【図１４】「木酢液を浸透させた火山噴出物の堆積土壌（Ｂ）」と「バーク堆肥（Ｍ）」と「肥料」と、「木酢液（Ｅ）と水」の混合比率を変えた植生基盤を示す図面。
【図１５】図１４に示した混合比率の植物育成用の有機質土壌の植生試験の状況を示す図面。（植付け時・３月１２日の育成状況）
【図１６】図１４の混合比率の植物育成用の有機質土壌における、各植物の生育状況を示す図面。（植付け７日後・３月１９日の育成状況）
【図１７】図１４の混合比率の植物育成用の有機質土壌における、各植物の生育状況を示す図面。（植付け１６日後・３月２８日の育成状況）
【図１８】図１４の混合比率の植物育成用の有機質土壌における、各植物の生育状況を示す図面。（植付け２４日後・４月４日の育成状況）
【図１９】火山噴出物の堆積土壌の一例としてのボラ土（日向土）の図面である。
【発明を実施するための形態】
【００３２】
図１において、火山噴出物の堆積土壌を木酢液（Ｅ）に浸漬して、木酢液を浸透させた火山噴出物の堆積土壌（Ｂ）とする工程について、説明する。
【００３３】
火山噴出物の堆積土壌とは、火山灰や軽石やスコリアを含む火山放出物に由来する土壌を言う。我が国は世界有数の火山国であることから、火山灰土壌の分布も広く、国土の約１６％にも及んでいる。
【００３４】
地域的には、北海道、東北、関東、及び九州に広く分布している。
一般に黒くて、厚い表土を持つことが重要な特徴である。火山噴出物の堆積土壌としては、不良土と呼ばれる火山灰土と、酸性土壌の占める割合が圧倒的に多い。
通常の不良火山灰土としては、鹿児島県のシラスや宮崎県のボラ土（日向土）や、アカホヤ等の名称の火山噴出物の堆積土壌が存在する。
図１９においては、火山噴出物の堆積土壌の一例としてのボラ土（日向土）を図示している。
育成には不向きであるが、種々の他の有機物土壌と混合することにより、植物育成用土壌の増量効果を得ることが出来、また、植物の幹を支持する植物育成用土壌として混合されるものである。
【００３５】
本発明は、植物の育成や、農業用土壌としては、不良灰土に属するボラ土（日向土）を用いた植物育成用土壌を提供するものであり、コストとして安くしたものである。
次に火山噴出物の堆積土壌の中の一つであるボラ土（日向土）について説明する。
ボラ土（日向土）は、霧島系火山帯の噴出物の堆積土壌であり、軽石系の火山噴出物よりなる堆積土壌である。外観は、淡い褐色から白色の粒状であり、乾燥している場合の色と湿った状態の差も明瞭ではない。園芸用土の中では、鹿沼土と軽石の中間程度の硬さで、長く使用しても砕けて粉状になることは少ない。
土粒は多孔質で水はけと通気性が良い。使用感としては、土よりも砂利に近く、少しの振動で鉢内で移動したり、鉢外にこぼれ出したりする。粒と粒の間の間隙が大きいために、灌水すると殆ど抵抗なく水が鉢底から流れ出してしまう用土であり、他の混合物の比率により、このような性質を調節して使用するものである。
【００３６】
ボラ土はこのような性質の用土であるので、単独で用いる場合には、鉢上部には大きさの細かなものを使い、鉢底には粗めの粒を入れるといった用土の使い分けが一般的である。基本的には水はけや通気性を改善する目的で混合して使う場合が多い。
ボラ土は、有害な雑菌や雑草の種子の混入も少ないというクリーンな用土として用いられる。ボラ土が最も適しているのは、シュンランやカンランやオモトといった古典的園芸植物の用土である。このような植物は根が通気を好む気根の性質が強く、鉢内の過湿が根腐れという状況を招くので、通気性のよいボラ土が用いられる場合が多い。他の植物の場合も、灌水のやり過ぎによる根腐れの失敗が少ないので、水管理のしやすい土壌として使われる。
ＰＨは弱酸性（ＰＨ５〜６）であり、雑菌が少なく、水はけが良く、粒が硬く崩れ難いと特徴がある。
【００３７】
また、価格が安く、植物育成用土壌の増量材や植物の根の支持材料として使用できる。粒の大きさごとに選別して売られている為に篩に掛ける必要がない。アルカリ性植物を除きなんでも栽培できる用途の広い火山噴出物の堆積土壌である。アルカリ性植物を植える場合には、苦土石灰を１０リットル当たり５０〜１００グラム混合する。
他の火山噴出物の堆積土壌である鹿沼土よりも硬質なので、シンビジウム等の洋蘭や、観音竹や万年青等の栽培には主として用いられる。
【００３８】
本発明においては、火山噴出物の堆積土壌を一般的に用いることができるが、とりわけ、ボラ土（日向土）を木酢液（Ｅ）に浸漬したものが効果的である。
【００３９】
他の火山噴出物の堆積土壌としては、鹿沼土がある。鹿沼土は、栃木県から茨城県に掛けて算出し、特に鹿沼市で良質の用土が取れるために鹿沼土という。今から３万年前に群馬県の赤城山が火山爆発したときの噴出物だと言われる。主成分は珪酸とアルミニウムである。
【００４０】
他の火山噴出物の堆積土壌として、赤玉土がある。該赤玉土は、八ヶ岳、浅間山、箱根、富士山などの噴出した火山噴出物の堆積土壌であり、篩で濾過して玉状にしたものでる。赤い色は土中の鉄分が酸素と反応したものであり、鉄錆びの色である。この赤玉土は用途の広い用土である。柔らかくて簡単に潰れる。粒の大きさごとに選別して売られているので篩に掛ける必要がない。普通の鉢物から盆栽まで用途は広い。
【００４１】
該木酢液（Ｅ）について説明する。
木酢液（Ｅ）とは、木材を乾留した際に発生する乾留液の上澄分のことである。代表的な例としてしては、樫類の木材の炭焼き時に副産物として木酢液（Ｅ）が製造される。外見は赤褐色または暗褐色の液体である。その殆どが水分であるが、木材由来の酢酸などの有機酸が含まれており、弱酸性を示す。
【００４２】
それ以外の成分としては、アルコール類や、カルボニル化合物、あるいはフェノール類やフラン類といった芳香族化合物などが含まれる。原材料である木材の種類や、乾留の条件により成分に木酢液のバラツキが発生する。
【００４３】
メタノールの別名である「木精」は、かって木酢液（Ｅ）の蒸留によりメタノールが作られていたことに由来している。フェノール類は、主に木材の成分であるリグニンから発生する。
かつて、木酢液（Ｅ）は酢酸やメタノールを製造する為の原料として使用されたが、これらの化学物質の供給源は、化学合成あるいは醸造原料にとって代わられた。
現在は、昆虫が忌避することから、農薬的な使用用途や、民間療法、厚生目的での利用用途がある。食品加工法の一つである液体燻製では、木酢液（Ｅ）から得られた燻液（スモークフレーバー）が用いられている。
【００４４】
しかし、工業的に炭焼きをする場合において大量に発生することから、木酢液（Ｅ）の発生量は多くなり、近年は木酢液の製造量に対応する、使用用途が少なく、木酢液（Ｅ）自体が持て余し気味となっていた。木酢液を土壌に散布したり、あるいは野菜や花卉等に散布すると成長が良くなることはしられており、実際に使用されている。
最近では、ゴルフ場の芝生に散布する農薬の残留毒性の問題がクローズアップされており、従来から用いられている合成農薬に代わる天然農薬を必要とする声が大きくなっている。このような情勢において、炭焼きの段階で熱分解を受けているものの、原料が植物である木酢液の植物成長調節作用が注目を浴びているのである。
【００４５】
例えば、木酢液をカラマツの苗木に施こすことにより、カラマツ苗木の養分吸収が大きくなり、木酢液を施した後の土壌の化学的性質は無処理地区とあまり変わらないという例が示されている。
また、静置処理した木酢液が水稲種子の発芽に良好な結果を与えることや、水稲育苗用に適していることも知られている。即ち、水稲苗の屈起性が向上し、苗の根量を増やし、かつ根の活性を高める。また、水稲苗を本田に移植後に幼苗の生育を促進させ、移植後の抵抗性を高める。
【００４６】
本発明においては、この木酢液（Ｅ）の成長促進効果を利用する為に、ボラ土（日向土）（Ａ）を木酢液（Ｅ）に浸漬し、木酢液を浸透させた火山噴出物の堆積土壌（Ｂ）とし、バーク堆肥（Ｍ）と混合させ、植物育成用土壌を構成するのである。
【００４７】
図１においては、ボラ土（日向土）（Ａ）をフレコン（Ｃ）に投入し、該フレコン（Ｃ）を、木酢液（Ｅ）の溶液を満たした容器（Ｄ）中に浸漬するのである。
該浸漬時間は、０．５〜２日間とし、最適な時間は丸一日間程度とする。そして、次に、ボラ土（日向土）（Ａ）の入ったフレコン（Ｃ）を、容器（Ｄ）の上方まで引き上げて、そのまま１日間放置し、ボラ土（日向土）（Ａ）の気孔に吸収しきれない木酢液（Ｅ）を、容器（Ｄ）の内部に落下させて戻すのである。
この戻す量は、８０％であり、ボラ土（日向土）（Ａ）の気孔に吸収されて残った木酢液は、２０％とする。
容器（Ｄ）に落下した木酢液（Ｅ）は、さらに元の濃度に戻すべく木酢液（Ｅ）を注入して、次のボラ土（日向土）（Ａ）入りのフレコン（Ｃ）の浸漬の工程に使用するのである。
【００４８】
次に、図２において、バーク堆肥（Ｍ）の製造プラントと製造工程について説明する。  人工植林された植林より、杉を主体とする樹木（Ｔ）が伐採されて、住宅や家具などの用途に、木材が加工される工程においては、まずは伐採の後に、製材所において、皮むきが行われる。該杉を主体とする樹木（Ｔ）の樹皮を、機械によりまたは人力により、樹皮（Ｊ）が剥がれるのである。従来はこの樹皮（Ｊ）の利用用途が少なく、人里離れた場所において、積み上げられて、発酵するのを待って、また山の土壌に戻されていたのである。
【００４９】
本発明においては、この杉を主体とする樹木（Ｔ）の樹皮（Ｊ）を、剥いだ後に、図１のように高さ５ｍ以上の大きな山状に積み上げて、６ヶ月間程度嫌気性状態で発酵させるのである。この高さ５ｍというのは、樹皮を積み上げた状態で、その自重により、内部が圧縮されて発熱を開始する程度の高さから設定されている。
この嫌気性発酵状態においては、該樹皮（Ｊ）の山の内部は、約９０度程度まで温度が上昇する。
原料に使用する樹皮（Ｊ）は国産の杉やヒノキを主体とする樹木（Ｔ）であり、他の樹種は使用しない。樹皮（Ｊ）は自然剥離したものが最良であるが、その他の木材市場などで原木の荷積み、荷降ろし、皮剥ぎ等の際に剥がれる樹皮も原料として用いる。原料の堆積高さは５ｍ以上を基準とし、また、従来の堆肥製造方法とは異なり、切り返しは行わない。むしろ積極的に樹皮の山の内部を嫌気性発酵状態にする必要がある。
【００５０】
一般にバーク堆肥（Ｍ）を製造する場合に、まずは外部から好気性反応がおこり、微生物の活動により外部の樹皮が酸化されて、発熱を伴うが、水と炭酸ガスに変わるので自然発火は発生しない。そして、内部の温度が９０℃程度まで上昇し、５ｍ以上に積み上げた樹皮の山の内部は嫌気性発酵状態となる。該樹皮を嫌気状態で加熱することによって、有機酸が生成される他に、一部の樹皮は炭化される。
【００５１】
この状態で、杉を主体とする樹皮（Ｊ）の場合には、６ヶ月間以上放置して発酵させた材料を、バーク堆肥（Ｍ）として用いるのである。
該６ヶ月間の間、嫌気性発酵状態で発酵させた樹皮（Ｊ）は、自然な発酵によりボロボロとなる程度まで発酵されるのである。
この発酵させた樹皮（Ｊ）を、使用した傾斜した筒内において回転する爪により破砕するハンマークラッシャー（Ｆ）に掛けて、破砕するのである。この破砕後の大きさは、１〜５０ｍｍ程度までの破砕を行うのである。
【００５２】
次に、該ハンマークラッシャー（Ｆ）で破砕した後のバーク堆肥（Ｍ）を、回転筒式のトロンメル選別機（Ｇ）により、１０ｍｍ〜１５ｍｍ、好ましくは１２ｍｍ以下の繊維長さのバーク堆肥（Ｍ）に選別するのである。
木酢液を浸透させた火山噴出物の堆積土壌（Ｂ）とバーク堆肥（Ｍ）を、本発明の植物育成用の有機質土壌として混合するものである。
【００５３】
前記ハンマークラッシャー（Ｆ）は、約２０度〜３０度に傾斜された傾斜容器円筒（１４）内において、回転クラッシャ軸（１７）がモーター駆動により回転されている。
該回転クラッシャ軸（１７）には、傾斜容器円筒（１４）の入口ホッパー（１５）の部分に近い上部において、スパイラル爪（１０）が植設されている。該スパイラル爪（１０）は、傾斜容器円筒（１４）の入口ホッパー（１５）の部分に投入された、発酵樹皮はスムーズにハンマークラッシャー（Ｆ）内に取り込む役目を持っている。
【００５４】
該スパイラル爪（１０）は、４〜８本が植設されており、該スパイラル爪（１０）は、破砕爪取付杆（１２）の先端に板状の爪体（１８）が固定された形状としており、該板状の爪体（１８）にスパイラル状の歪みが構成されている訳ではなく、４乃至８本の爪の位置がスパイラルの位置に立設されて、一次破砕物（Ｃ）を取り込み可能なスパイラル爪（１０）を構成している。
【００５５】
また、傾斜容器円筒（１４）の入口ホッパー（１５）の位置に設けたスパイラル爪（１０）の後段において、回転クラッシャ軸（１７）に固設された破砕爪取付杆（１２）には、先端において回転可能に枢支状態に取付けられた破砕爪（１１）が多数設けられている。
該破砕爪（１１）は、１本の破砕爪取付杆（１２）の先端に、１本の枢支ボルトを介して、２本が取付け可能とされており、本実施例のハンマークラッシャー（Ｆ）において、回転クラッシャ軸（１７）の周囲に設けられた６４本の破砕爪取付杆（１２）に対して２枚ずつの破砕爪（１１）が枢支されており、合計１２８枚の破砕爪（１１）が枢支されている。
【００５６】
該破砕爪（１１）は回転クラッシャ軸（１７）の回転と共に遠心力で傾斜容器円筒（１４）の内径に近い位置まで突出して、傾斜容器円筒（１４）の内径に設けた凸部刃との間で、一次破砕物（Ｃ）を圧迫して破砕するように構成している。刃による切断ではなく、圧迫による破砕を行うので、刃の部分が摩耗することはなく、耐久性の向上につながるのである。
本発明においては、前記破砕爪（１１）の破砕爪取付杆（１２）に取り付ける枚数を変更可能としている。これにより、ハンマークラッシャー（Ｆ）により破砕後の繊維長を、１〜３０ｍｍ程度までの間で調整可能としているのである。
該ハンマークラッシャー（Ｆ）の傾斜容器円筒（１４）の下端部において、出口筒（１６）が設けられており、該出口筒（１６）から出た破砕後のバーク堆肥（Ｍ）は、次に、回転筒式のトロンメル選別機（Ｇ）に供給される。
【００５７】
該回転筒式のトロンメル選別機（Ｇ）は、図９と図１０と図１１と図１２に示す如く構成されている。
即ち、回転筒式のトロンメル選別機（Ｇ）の内部には、穿孔回転筒篩（１３）が架設されており、回転筒式のトロンメル選別機（Ｇ）の内部で外周を、ローラーにより支持されて回転駆動される。
該穿孔回転筒篩（１３）の孔（１９）の径は１２〜２０ｍｍに設定されており、一次破砕物（Ｃ）の繊維が縦方向に抜けた場合は別として、１２ｍｍ以上の一次破砕物（Ｃ）は、出口筒（１６）より外部に放出されるように構成されている。
前記穿孔回転筒篩（１３）の孔（１９）の径である１２ｍｍ以下のバーク堆肥（Ｍ）の繊維が、回収ホッパー（２２）より回収されて、最終的なバーク堆肥（Ｍ）として使用されるのである。
【００５８】
次に、図１４〜図１６において、木酢液を浸透させた火山噴出物の堆積土壌（Ｂ）とバーク堆肥（Ｍ）とを混合した植物育成用の有機質土壌について説明する。
図１４においては、本発明の植物育成用の有機質土壌の性能評価を行う為の試験土壌について説明している。
【００５９】
試験土壌（ａ）は、前述したバーク堆肥（Ｍ）が９０％に、木酢液を浸透させた火山噴出物の堆積土壌（Ｂ）が９．５％に、肥料が０．５％混合されている。
該木酢液を浸透させた火山噴出物の堆積土壌（Ｂ）の製造工程における、木酢液（Ｅ）と水の比率は、５％対９５％としている。
試験土壌（ｂ）は、前述したバーク堆肥（Ｍ）が９０％に、木酢液を浸透させた火山噴出物の堆積土壌（Ｂ）が９．５％に、肥料が０．５％混合されている。
該木酢液を浸透させた火山噴出物の堆積土壌（Ｂ）の製造工程における、木酢液（Ｅ）と水の比率は、１０％対９０％としている。
【００６０】
試験土壌（ｃ）は、前述したバーク堆肥（Ｍ）が９０％に、木酢液を浸透させた火山噴出物の堆積土壌（Ｂ）が９．５％に、肥料が０．５％混合されている。
該木酢液を浸透させた火山噴出物の堆積土壌（Ｂ）の製造工程における、木酢液（Ｅ）と水の比率は、２０％対８０％としている。
試験土壌（ｄ）は、前述したバーク堆肥（Ｍ）が９０％に、木酢液を浸透させた火山噴出物の堆積土壌（Ｂ）が９．５％に、肥料が０．５％混合されている。
該木酢液を浸透させた火山噴出物の堆積土壌（Ｂ）の製造工程における、木酢液（Ｅ）と水の比率は、５０％対５０％としている。
【００６１】
試験土壌（ｅ）は、前述したバーク堆肥（Ｍ）が９０％に、木酢液を浸透させた火山噴出物の堆積土壌（Ｂ）が９．５％に、肥料が０．５％混合されている。
該木酢液を浸透させた火山噴出物の堆積土壌（Ｂ）の製造工程における、木酢液（Ｅ）と水の比率は、１００％対０％としている。
試験土壌（ｆ）は、バーク堆肥（Ｍ）が１００％で、木酢液を浸透させた火山噴出物の堆積土壌（Ｂ）は混入されていない。
以上のような植生試験用の植生基盤により、試験が行われている。
【００６２】
図１５は、図１４に示した混合比率の植物育成用の有機質土壌の植生試験の状況を示す図面であり、植付け時の状況を示す写真である。                                      試験土壌（ｆ）は、木酢液を浸透させた火山噴出物の堆積土壌（Ｂ）が混合されておらず、バーク堆肥（Ｍ）が１００％である。
【００６３】
その他の、試験土壌（ａ）から試験土壌（ｅ）は、木酢液を浸透させた火山噴出物の堆積土壌（ｂ）を製造する際の、水と木酢液（ｅ）との比率の相違する試験土壌により試験を行っている。
【００６４】
即ち、バーク堆肥（Ｍ）に対する木酢液を浸透させた火山噴出物の堆積土壌（Ｂ）の割合は、全て同じとしており、バーク堆肥（Ｍ）が９５％に対して、ボラ土が９．５％とし、これに、肥料を０．５％混入したものである。
【００６５】
そして、９．５％を混入した木酢液を浸透させた火山噴出物の堆積土壌（Ｂ）を浸漬する木酢液（Ｅ）の溶液において、水に対する木酢液（Ｅ）の割合が、試験土壌（ａ）から試験土壌（ｅ）に至るにつれて、５％・１０％・２０％・５０％・１００％と変化させているのである。
【００６６】
図１６は、図１４の混合比率の植物育成用の有機質土壌における、各植物の生育状況を示す図面であり、植付け７日後の育成状況を示すものである。
図１７は、図１４の混合比率の植物育成用の有機質土壌における、各植物の生育状況を示す図面であり、植付け１６日後の育成状況を示すものである。
図１８は、図１４の混合比率の植物育成用の有機質土壌における、各植物の生育状況を示す図面であり、植付け２４日後・４月４日の育成状況を示すものである。
【００６７】
図１５から図１８の育成状況の流れより、次のような判断ができる。
試験土壌（ｆ）の育成状況が他よりも悪いということから、バーク堆肥（Ｍ）のみの植物育成用土壌よりも、木酢液（Ｅ）を浸透させた火山噴出物の堆積土壌（Ｂ）を加えた方が植物育成用土壌として育成状況が良くなるということが理解できる。
【００６８】
また、浸漬液の比率は、水が０％で木酢液（Ｅ）が１００％よりも、水が混合されて希釈された木酢液（Ｅ）の方が育成を助長する効果を発揮する。
そして、木酢液（Ｅ）と水の比率が、木酢液（Ｅ）が５０％から５％の間では、５％と木酢液（Ｅ）が薄くなる方が、良好である。しかし、木酢液（Ｅ）の比率が５０〜５％の間では、あまり顕著な相違はみられない。
木酢液（Ｅ）は、本植物育成用土壌を構成する材料の中では、高価な材料であるので、少ない方がコストの低下に効果的である。故に、水と木酢液（Ｅ）の比率は水９５％で木酢液（Ｅ）が５％が好適であると結論できる。
【００６９】
以上の如く、本発明は、火山噴出物の堆積土壌を、木酢液に浸漬することにより、木酢液の浸透した火山噴出物の堆積土壌とし、杉を主体とする木材の樹皮を、発酵させた後に押圧破砕し、短繊維状のバーク堆肥を構成し、前記木酢液を浸透させた火山噴出物の堆積土壌と、短繊維状のバーク堆肥とを混合したものである。
また、短繊維状のバーク堆肥は、杉を主体とする木材の樹皮を、木質部から剥がして山状に積み上げて、該積み上げた状態の内部において、嫌気性発酵状態とし、約６ヶ月以上放置して、発酵状態の樹皮を形成し、該杉を主体とする木材の発酵状態の樹皮を押圧することにより破砕して、短繊維状のバーク堆肥としたものである。
【００７０】
また、木酢液を浸透させた火山噴出物の堆積土壌（Ｂ）とバーク堆肥（Ｍ）の比率は、１対９程度とし、木酢液を浸透させた火山噴出物の堆積土壌（Ｂ）の方を少なくしたものである。また肥料の混合比率は、木酢液を浸透させた火山噴出物の堆積土壌（Ｂ）とバーク堆肥（Ｍ）の全体に対して、０．５％程度としたものである。
また、火山噴出物の堆積土壌を浸漬する木酢液は、木酢液と水の混合液とし、木酢液を５％〜５０％とし、水を９５％〜５０％としたものである。
【００７１】
また、木酢液に火山噴出物の堆積土壌を浸漬する時間は、０．５〜２日間としたものである。
【符号の説明】
【００７２】
Ａ  ボラ土（日向土）
Ｂ  木酢液を浸透させた火山噴出物の堆積土壌
Ｃ  フレコン
Ｄ  大容量容器
Ｅ  木酢液
Ｆ  ハンマークラッシャー
Ｇ  回転筒式のトロンメル選別機
Ｊ  樹皮
Ｍ  バーク堆肥
Ｔ  杉を主体とする樹木
ａ〜ｆ  試験土壌